(57)【要約】      （修正有）【課題】マイナスイオン発生機能があり、火傷のない温灸マットの提供。【解決手段】加温用面状電気ヒーター２が、マットカバー１の内部の底面に全面にわたって設けられて、温灸用もぐさ３がその加温用電気ヒーター２の上面に全面にわたって設けられ、この加温用電気ヒーター２により薫蒸される。さらに、焼成風化珊瑚粒４が上記のもぐさ３の上面であって、上記のマットカバー１内に面状に敷かれている。最後に、多数の通気孔１ａが、上記のマットカバー１の身体に接する身体接触面１ｂに設けられている。このマットは大温灸マットと小温灸マットとの大小対のマットから成っていて、その大温灸マットのマットカバーは等身大程度の大さで、その小マットカバーは洋式枕大程度の大きさである。【選択図】図１
2007014603.tif 000002
【特許請求の範囲】
【請求項１】
平らな袋状のマットカバー、該マットカバーの内部に全面にわたって設けられた加温用面状電気ヒーター、該加温用電気ヒーターの上面に全面にわたって設けられた温灸用もぐさ、上記のマットカバー内に面状に敷かれた焼成風化珊瑚、上記のマットカバーの身体に接する面に設けられた多数の通気孔、より構成されることを特徴としマイナスイオン発生機能付き電気温灸マットた。
【請求項２】
平らな袋状の等身大程度の大マットカバー、該大マットカバーの内部に全面にわたって設けられた加温用面状電気ヒーター、該加温用電気ヒーターの上面に全面にわたって設けられた温灸用もぐさ、上記の大マットカバー内に面状に敷かれた焼成風化珊瑚、上記の大マットカバーの身体に接する面に設けられた多数の通気孔、から成る大温灸マットと；平らな袋状の洋式枕大程度の小マットカバー、該小マットカバーの内部に全面にわたって設けられた加温用面状電気ヒーター、該加温用電気ヒーターの上面に全面にわたって設けられた温灸用もぐさ、上記の小マットカバー内に面状に敷かれた焼成風化珊瑚、上記の小マットカバーの身体に接する面に設けられた多数の通気孔、から成る小温灸マット；より構成されることを特徴としたマイナスイオン発生機能付き電気温灸マット。
【発明の詳細な説明】
【技術分野】
【０００１】
本発明は、広くは保健用医療機器に関するものであり、特に温灸器に関するものである。就中、電気温灸器にマイナスイオン発生機能を設けたマットに関するものである。
【背景技術】
【０００２】
もぐさを利用して燃焼させ、身体のつぼに刺激を与えて患部の治療や身体の保健の維持を図るお灸である漢方医療は古くから行われてきた。一方、マイナスイオンの精神安定化効果も広く知られている。しかして、マイナスイオンの発生手段についてはいろいろのものが言われてきているが、その効果が明白でないものが多い。例えば「珊瑚」と言われているものもその一つである。珊瑚に関しては確かにマイナスイオンの発生物質の一つではあるが、従来は「珊瑚」と言うのみであってその珊瑚の条件に関する研究は一切成されてはいなかった。それを解決したのが本願発明に使用されている「風化された珊瑚」を「焼成したもの」と言うものである。その詳細は後に述べる。
【特許文献１】特許第３５８０４９７号
【特許文献２】特許第３６８０２６８号
【発明の開示】
【発明が解決しようとする課題】
【０００３】
従来の灸治療は、非常に熱いばかりか、小さいながらやけどの跡を残し、若い女性にとっては美容上大問題である。そこで、本願発明はそのこれらの問題点を解決すると同時に、普通の珊瑚とは比較に成らないほどマイナスイオン発生効果の高い焼成風化珊瑚をこの温灸マットに取り入れたものである。それによって、マイナスイオンによる精神の安定を図りながら、温灸効果を高めるという相乗効果が期待される。
【課題を解決するための手段】
【０００４】
本発明にかかるマイナスイオン発生機能付き電気温灸マットは、以上の課題を解決するために、マットカバー内に、もぐさを入れて、電気ヒーターでそのもぐさを加温薫蒸するものとした。一方、焼成風化珊瑚が、マイナスイオンを発生させてその使用者の精神に安静感を与え、その使用者の保健・治療に相乗効果を与える構成にした。
【０００５】
以下に、本発明にかかるマイナスイオン発生機能付き電気温灸マットの具体的な構成を詳細に記載する。最初に、本発明の請求項１に記載した発明の構成を説明する。この発明は、まず、平らな袋状のマットカバーがある。つぎに、加温用面状電気ヒーターがある。この加温用面状電気ヒーターは、上記のマットカバーの内部に全面にわたって設けられたものである。そして、温灸用もぐさがある。この温灸用もぐさは、上記の加温用電気ヒーターの上面に全面にわたって設けられたものである。さらに、焼成風化珊瑚がある。この焼成風化珊瑚は、上記のマットカバー内に面状に敷かれたものである。最後に、多数の通気孔がある。この多数の通気孔は、上記のマットカバーの身体に接する面に設けられたものである。
【０００６】
つぎに、本発明にかかるマイナスイオン発生機能付き電気温灸マットの請求項２に記載した発明の構成を説明する。この発明は、以下のものから成る大温灸マットと小温灸マットとの大小対のマットから成っている。その大温灸マットは、まず、平らな袋状の等身大程度の大マットカバーがある。つぎに、加温用面状電気ヒーターがある。この加温用面状電気ヒーターは、上記の大マットカバーの内部に全面にわたって設けられたものである。そして、温灸用もぐさがある。この温灸用もぐさは、上記の加温用電気ヒーターの上面に全面にわたって設けられたものである。さらに、焼成風化珊瑚がある。この焼成風化珊瑚は、上記の大マットカバー内に面状に敷かれたものである。最後に、多数の通気孔がある。この多数の通気孔は、上記の大マットカバーの身体に接する面に設けられたものである。以上のごとくである。
【０００７】
そして、その小温灸マットは、まず、平らな袋状の洋式枕大程度の小マットカバーがある。つぎに、加温用面状電気ヒーターがある。この加温用面状電気ヒーターは、上記の小マットカバーの内部に全面にわたって設けられたものである。そして、温灸用もぐさがある。この温灸用もぐさは、上記の加温用電気ヒーターの上面に全面にわたって設けられたものである。さらに、焼成風化珊瑚がある。この焼成風化珊瑚は、上記の小マットカバー内に面状に敷かれたものである。最後に、多数の通気孔がある。この多数の通気孔は、上記の小マットカバーの身体に接する面に設けられたものである。以上のごとくである。
【発明の効果】
【０００８】
本発明にかかるマイナスイオン発生機能付き電気温灸マットは、以上のごとくになしたゆえに、上記の課題を解決して以下のごとき多大な効果が生じた。すなわち、マイナスイオンによる精神の安定を図りながら、熱くなく、火傷のあとも残さない温灸効果を高めるという相乗効果を発揮した。
【発明を実施するための最良の形態】
【０００９】
もぐさを電気ヒーターで加温をして、そのもぐさを燃焼させることなく、その加温による薫蒸気でお灸の効果を与えるものとした。一方、新たに科学された焼成風化珊瑚により発生されたマイナスイオンが、このマットの使用者の精神的安静効果を与え、その保健・治療に相乗的に働かせるものとした。
【実施例１】
【００１０】
しかして、本発明にかかるマイナスイオン発生機能付き電気温灸マットをその具体的な実施例を用いて添付の図面と共に詳細に述べる。最初に、その請求項１に記載の実施例を述べる。まず、図１に示すように、合成皮革製の平らな袋状のマットカバー１がある。つぎに、加温用面状電気ヒーター２がある。この加温用面状電気ヒーター２は、上記のマットカバー１の内部の底面に全面にわたって設けられたものである。そして、布袋（図示なし）に平板状に均等に配置されるように収納された温灸用もぐさ３がある。この温灸用もぐさ３は、上記の加温用電気ヒーター２の上面に全面にわたって設けられ、この加温用電気ヒーター２により薫蒸されるものである。さらに、これも布袋（図示なし）に平板状に均等に配置されるように収納された焼成風化珊瑚粒４がある。この焼成風化珊瑚粒４は、上記のもぐさ３の上面であって、上記のマットカバー１内に面状に敷かれたものである。最後に、多数の通気孔１ａがある。この多数の通気孔１ａは、上記のマットカバー１の身体に接する身体接触面１ｂに設けられたものである。しかして、この通気孔１ａからもぐさの薫蒸気やマイナスイオンが放出されて、身体に触れるのである。
【実施例２】
【００１１】
つぎに、その請求項２に記載の実施例を述べる。これは、以下のものから成る大温灸マットＧ（図２参照）と小温灸マットＳ（図３参照）との大小対のマットから成っている。その大温灸マットＧと小温灸マットＳとの差違は、上記したマットカバー１の大小の差に過ぎず、その他のものの構成はそのマットのサイズに合わせてそれぞれのサイズが大小になっているだけのことである。しかして、その大温灸マットＧのマットカバーＧ1は、等身大程度の大さで、その小マットカバーＳ１は洋式枕大程度の大きさである。しかして、その大マットカバーＧ１の身体接触面Ｇ１ａの通気孔Ｇ１ｂは当然ながらそのサイズに合わせて数が多く、その小マットカバーＳ１の身体接触面Ｓ１ａの通気孔Ｓ１ｂは当然ながらそのサイズに合わせて数が少なくなっている。
【００１２】
しかして、その大小温灸マットＧとＳの使用方法は、図４と５に示すごとくである。図４において、まず大マットＧを広げた状態で敷いて、その上に寝て小マットとＳをその通気孔Ｓ１ｂを腹部に向けてあてがうのである。つぎに、図５において、まず大マットＧを折り曲げて座椅子状態にして座る。そして、その小マットとＳの通気孔Ｓ１ｂを腹部に向けてあてがうのである。なお、これらの大小温灸マットＧとＳは、それぞれ単独で使用することも可能である。かようにして、その電源ケーブルｃについているタイマーｔを用いて電源を制御する。
【００１３】
しかして、上述した風化珊瑚について説明する。従来から、珊瑚は不思議な力を有することが、この分野の研究者の間には確認されていた。しかし、ただ漠然と「珊瑚」と言うだけであって、
（１）  その珊瑚がどのような条件の珊瑚（種類とか状態）であるかと言うこと。
（２）  そして、その珊瑚が、どのような条件下において実施された場合に、どのような作用効果が発生するのか、
との詳細な研究は一切なされていなかった。したがって、その効力も一般に存在する貝殻や鉱石や食塩水程度の極微弱なものに過ぎないもので、各種の鉱石や貝殻とか食塩水等とひっくるめて扱わられているものであった。
したがって、「珊瑚の発明」と言うと、皆、何も考えずに「従来ありきたりの発明らしき技術であって、まがい物の技術に公的な許可は出せない」と言うのが通常であった。
【００１４】
これに対して、本願発明は、従来研究されていなかった珊瑚とマイナスイオンの詳細かつ膨大な条件を研究したものである。その結果、以下に述べる本願発明に使用の珊瑚の詳細な条件を解明したことによって、本願発明の明細書で述べた多大な効果を上げたものである。すなわち、その条件とは、以下に示すごときものである。
【００１５】
その珊瑚の条件とは、
第１に、上記の条件の（１）に関して、本願発明に使用の珊瑚は、風化していない普通の珊瑚（例えば、珊瑚礁の珊瑚  −  生死不問）や化石化とか石灰石化した珊瑚ではなく、普通の珊瑚が「風化した」ものであると言うことと（なお、化石化とか石灰石化した珊瑚が風化したものでもない）、この風化珊瑚を焼成したものであることが前提要件であると言うことである。すなわち、珊瑚に関してはその種類ではなく、その「風化」と言う状態であることを突き止めたのである。そして、
第２に、上記の条件の（２）に関して、この焼成風化珊瑚から大量のマイナスイオンを発生させるためには上記の（１）の条件のみでなく、「水分（水そのもの以外に身体から発生する各種の湿気）」と「微細外力（呼吸や寝返りなどの身体の動きとか、加温など）」が必要であると言うことを突き止めたのである。
【００１６】
珊瑚を珊瑚としてそのままの状態で用いたのでは、たとえ風化珊瑚であってもマイナスイオンの発生は非常に微弱なものである。この条件を突き止めることは、非常に困難なことである。すなわち、この条件が分からなければ、上記の（１）の条件が分からないためである。本願発明は、この焼成風化珊瑚に、水分と外力が加わることによるアルカリイオン水化反応から大量の負イオンが発生すると言うことを非常に多くの実験の結果突き止めて、このデーターに基づいて生まれたものを使用したものである。
【００１７】
したがって、測定器で計測してみて、初めて「マイナスイオンの発生が確認された」という程度の技術が従来のものであって、これらの条件は発見できずに、何となく「その効果があることは事実である」と言うのが実情であった。因みに、家庭用加湿器からもレナード効果によって、マイナスイオンはそれなりに発生する。通常の珊瑚からのマイナスイオンの発生量は、この程度のものである。これに対して、焼成風化珊瑚は、その２倍や３倍の量どころではなく、一桁上の量という驚異的なものである。
【産業上の利用可能性】
【００１８】
精神の安定を図っての温灸治療というあらたな医療分野や保健の分野が開ける。
【図面の簡単な説明】
【００１９】
【図１】本発明にかかるマイナスイオン発生機能付き電気温灸マットの一実施例の一部の拡大側面断面図を示したものである。
【図２】図１のものの別の実施例の大マットの平面図を示したものであって、そのＡは通気孔側示し、そのＢは背面側を示している。
【図３】図１のものの別の実施例の晶マットの平面図を示したものであって、そのＡは通気孔側示し、そのＢは背面側を示している。
【図４】大温灸マットを広げた状態の使用例の斜視図である。
【図５】大温灸マットを折り曲げた状態の使用例の斜視図を示している。
【符号の説明】
【００２０】
１  マットカバー
1a  通気孔
1b  身体接触面
２  加温用面状電気ヒーター
３  温灸用もぐさ
４  焼成風化珊瑚粒
Ｇ  大温灸マット
Ｓ  小温灸マット
【図１】
2007014603.tif 000003
【図２】
2007014603.tif 000004
【図３】
2007014603.tif 000005
【図４】
2007014603.tif 000006
【図５】
2007014603.tif 000007